(57)【要約】【課題】局線中の通信チャネルごとに接続された端末に対し、会議通話サービス等の発着信に係わる付加的なサービスを効果的に実現し得る電話交換装置を提供する。【解決手段】主装置１において、ＩＳＤＮ局線ＩＳＬ，ＡＳＬを使用した発着信が行なわれた際に、該当するＩＳＤＮ局線のチャネルグループ情報及びＢチャネル情報をＣＴＩ機器２に転送し、ＣＴＩ機器２にて転送されたチャネルグループ情報及びＢチャネル情報をＲＡＭ２４に登録して管理するようにしている。【選択図】      図１
2006019985.tif 000002
【特許請求の範囲】
【請求項１】
複数の電話端末を内線を介して収容するとともに、複数の通信チャネルを有する局線を２以上接続可能な電話交換装置であって、
前記局線の使用要求が発生した場合に、使用する局線を識別するための第１の識別情報と、使用する局線内の通信チャネルを識別するための第２の識別情報とを取得する取得手段と、
この取得手段で取得される第１及び第２の識別情報を記録媒体に記録する記録手段と、
前記記録媒体上の第１の識別情報と第２の識別情報とを対応付けて管理する管理手段とを具備したことを特徴とする電話交換装置。
【請求項２】
前記管理手段は、使用中の局線に対するサービス要求が発生した場合に、該局線に対応する第１及び第２の識別情報を前記記録媒体から読み出し、これら第１及び第２の識別情報に基づいてサービスに関する制御を行なうことを特徴とする請求項１記載の電話交換装置。
【請求項３】
前記管理手段は、使用中の局線に対する切断要求が発生した場合に、該局線に対応する第１及び第２の識別情報を前記記録媒体から読み出し、これら第１及び第２の識別情報に基づいて該局線に対する切断処理を実行することを特徴とする請求項２記載の電話交換装置。
【請求項４】
前記管理手段は、使用中の局線に対する動作状態の監視要求が発生した場合に、該局線に対応する第１及び第２の識別情報を前記記録媒体から読み出し、これら第１及び第２の識別情報に基づいて該局線に対する監視処理を実行することを特徴とする請求項２記載の電話交換装置。
【請求項５】
さらに、コンピュータ装置と接続するためのインタフェースを備え、
前記管理手段は、前記インタフェースを通じて前記コンピュータ装置との間で前記第１及び第２の識別情報の通信を行なうことを特徴とする請求項１記載の電話交換装置。
【請求項６】
複数の電話端末を内線を介して収容するとともに、複数の通信チャネルを有する局線を２以上接続可能な電話交換装置を２以上備え、これら複数の電話交換装置相互間をデジタル専用線を介して接続した交換ネットワークシステムであって、
前記局線の使用要求が発生した場合に、使用する局線を識別するための第１の識別情報と、使用する局線内の通信チャネルを識別するための第２の識別情報とを取得する取得手段と、
この取得手段で取得される第１及び第２の識別情報を記録媒体に記録する記録手段と、
前記記録媒体上の第１の識別情報及び第２の識別情報を電話交換装置別に管理する管理手段とを具備したことを特徴とする交換ネットワークシステム。
【請求項７】
管理手段は、使用中の局線に対するサービス要求が発生した場合に、該局線に対応する第１及び第２の識別情報を前記記録媒体から読み出し、これら第１及び第２の識別情報に基づいてサービスに関する制御を行なうことを特徴とする請求項６記載の交換ネットワークシステム。
【請求項８】
前記管理手段は、使用中の局線に対する切断要求が発生した場合に、該局線に対応する第１及び第２の識別情報を前記記録媒体から読み出し、これら第１及び第２の識別情報に基づいて該局線に対する切断処理を実行することを特徴とする請求項７記載の交換ネットワークシステム。
【請求項９】
前記管理手段は、使用中の局線に対する動作状態の監視要求が発生した場合に、該局線に対応する第１及び第２の識別情報を前記記録媒体から読み出し、これら第１及び第２の識別情報に基づいて該局線に対する監視処理を実行することを特徴とする請求項７記載の交換ネットワークシステム。
【請求項１０】
前記複数の電話交換装置に対し共通に設けられ、前記電話交換装置の機能の少なくとも一部を実行するコンピュータ装置を備え、
前記取得手段、前記記録手段及び前記管理手段は、前記コンピュータ装置に設けられることを特徴とする請求項６記載の交換ネットワークシステム。
【請求項１１】
複数の電話端末を内線を介して収容するとともに、複数の通信チャネルを有する局線を２以上接続可能な電話交換装置の制御方法であって、
前記局線の使用要求が発生した場合に、使用する局線を識別するための第１の識別情報と、使用する局線内の通信チャネルを識別するための第２の識別情報とを取得し、
この取得される第１及び第２の識別情報を記録媒体に記録し、
前記記録媒体上の第１の識別情報と第２の識別情報とを対応付けて管理することを特徴とする電話交換装置の制御方法。
【発明の詳細な説明】
【技術分野】
【０００１】
この発明は、例えばＩＳＤＮ局線に接続される複数の電話端末間で会議通話を行なえるようにした電話交換装置、及び複数の電話交換装置間をデジタル専用線により接続する交換ネットワークシステム、及び電話交換装置の制御方法に関する。
【背景技術】
【０００２】
ネットワークシステムは、例えば複数の支店や営業所を有する企業内において、各支店または営業所にそれぞれＰＢＸ（Private Branch Exchange）またはボタン電話主装置といった電話交換装置を設置してこれらの電話交換装置間を専用線を介して接続したものである。この種のシステムでは、各電話交換装置ごとに内線間通信や公衆網等の局線発着信を行なえることは勿論のこと、異なる電話交換装置間での内線通信や異なる電話交換装置を経由した局線発着信を行なうことができる。
【０００３】
ところで、この種のシステムでは、特定の内線端末から他の内線または専用線の話者を招集し、三者以上の会議通話を行なうサービスも提唱されている（例えば特許文献１）。なお、会議通話については、電話交換装置に接続される内線端末間で行うものがある（例えば特許文献２及び特許文献３）。
【特許文献１】特開平６−２３７３０３号公報
【特許文献２】特表２０００−５１２１０９号公報
【特許文献３】特開平６−６４７０号公報。
【発明の開示】
【発明が解決しようとする課題】
【０００４】
ところで、上記システムでは、電話交換装置において、ＩＳＤＮ網に接続される端末と内線端末との会議通話を行なうサービスについても検討されている。しかしながら、電話交換装置では、ＩＳＤＮ局線については認識できるがそのＩＳＤＮ局線内の複数のＢチャネルまでは認識できない。このため、ＩＳＤＮ局線のＢチャネルに２以上の端末が接続されている場合には、一方のＢチャネルの端末を切断する場合に、どのＢチャネルを切断したらよいか分からない。
【０００５】
また、上記電話交換装置では、ＩＳＤＮ局線についての呼のモニタを行なう際に、モニタ先のＢチャネルまでは認識できない。
【０００６】
そこで、この発明の目的は、局線中の通信チャネルごとに接続された端末に対し、会議通話サービス等の発着信に係わる付加的なサービスを効果的に実現し得る電話交換装置及び交換ネットワークシステム、及び電話交換装置の制御方法を提供することにある。
【課題を解決するための手段】
【０００７】
この発明は、上記目的を達成するために、以下のように構成される。  
複数の電話端末を内線を介して収容するとともに、複数の通信チャネルを有する局線を２以上接続可能な電話交換装置であって、局線の使用要求が発生した場合に、使用する局線を識別するための第１の識別情報と、使用する局線内の通信チャネルを識別するための第２の識別情報とを取得する取得手段と、この取得手段で取得される第１及び第２の識別情報を記録媒体に記録する記録手段と、記録媒体上の第１の識別情報と第２の識別情報とを対応付けて管理する管理手段とを備えるようにしたものである。管理手段は、使用中の局線に対するサービス要求が発生した場合に、該局線に対応する第１及び第２の識別情報を前記記録媒体から読み出し、これら第１及び第２の識別情報に基づいてサービスに関する制御を行なう。
【０００８】
この構成によれば、ＩＳＤＮ局線の使用要求が発生した際に、使用するＩＳＤＮ局線を識別するための第１の識別情報と、使用するＩＳＤＮ局線内の通信チャネルを識別するための第２の識別情報とが取得され、これら第１及び第２の識別情報が記録媒体上で管理される。従って、使用中のＩＳＤＮ局線内の通信チャネルを特定でき、これにより通信チャネルごとに適切なサービス処理を実行できる。
【０００９】
管理手段は、使用中の局線に対する切断要求が発生した場合に、該局線に対応する第１及び第２の識別情報を記録媒体から読み出し、これら第１及び第２の識別情報に基づいて該局線に対する切断処理を実行することを特徴とする。  
この構成によれば、例えばＩＳＤＮ局線に接続される２以上の電話端末と、内線に接続される電話端末との間の会議通話中に、ＩＳＤＮ局線に接続される電話端末を指定した切断要求が発生した場合に、記録媒体上の第１及び第２の識別情報に基づいて切断すべきＩＳＤＮ局線の通信チャネルを特定できる。これにより、ＩＳＤＮ局線中の任意の通信チャネルを切断できる。
【００１０】
管理手段は、使用中の局線に対する動作状態の監視要求が発生した場合に、該局線に対応する第１及び第２の識別情報を記録媒体から読み出し、これら第１及び第２の識別情報に基づいて該局線に対する監視処理を実行することを特徴とする。
【００１１】
この構成によれば、使用中のＩＳＤＮ局線に関する監視要求が発生した場合に、記録媒体上の第１及び第２の識別情報に基づいて通信チャネルごとに使用状況を監視できる。
【００１２】
さらに、コンピュータ装置と接続するためのインタフェースを備え、管理手段は、インタフェースを通じてコンピュータ装置との間で第１及び第２の識別情報の通信を行なうことを特徴とする。  
この構成によれば、使用中である複数の第１及び第２の識別情報をコンピュータ装置に備えられた記録媒体に集約して記憶して管理できるので、これにより、電話交換装置の処理負荷を軽減できる。
【００１３】
複数の電話端末を内線を介して収容するとともに、複数の通信チャネルを有する局線を２以上接続可能な電話交換装置を２以上備え、これら複数の電話交換装置相互間をデジタル専用線を介して接続した交換ネットワークシステムであって、局線の使用要求が発生した場合に、使用する局線を識別するための第１の識別情報と、使用する局線内の通信チャネルを識別するための第２の識別情報とを取得する取得手段と、この取得手段で取得される第１及び第２の識別情報を記録媒体に記録する記録手段と、記録媒体上の第１の識別情報及び第２の識別情報を電話交換装置別に管理する管理手段とを備えるようにしたものである。管理手段は、使用中の局線に対するサービス要求が発生した場合に、該局線に対応する第１及び第２の識別情報を前記記録媒体から読み出し、これら第１及び第２の識別情報に基づいてサービスに関する制御を行なうことを特徴とする。
【００１４】
この構成によれば、電話交換装置が複数ある場合に、使用中の第１及び第２の識別情報と電話交換装置とを対応付けて管理することにより、各電話交換装置ごとにサービスを実行すべくＩＳＤＮ局線の通信チャネルを特定することができる。このため、例えば複数の会社や個人が１つのシステムを共用する場合に、各会社又は個人ごとに使用するＩＳＤＮ局線の通信チャネルを認識でき、これにより各会社または個人に対し最適なサービス処理を実行できる。
【００１５】
管理手段は、使用中の局線に対する切断要求が発生した場合に、該局線に対応する第１及び第２の識別情報を記録媒体から読み出し、これら第１及び第２の識別情報に基づいて該局線に対する切断処理を実行することを特徴とする。  
この構成によれば、異なる電話交換装置間でＩＳＤＮ局線を使用した会議通話が行なわれている場合にも、ＩＳＤＮ局線に接続される電話端末を指定した切断要求が発生した際に、記録媒体上で管理されている第１及び第２の識別情報に基づいて切断すべくＩＳＤＮ局線内の通信チャネルを特定でき、これにより通信チャネルごとに適切な切断処理を実行できる。
【００１６】
複数の電話交換装置に対し共通に設けられ、電話交換装置の機能の少なくとも一部を実行するコンピュータ装置を備え、取得手段、記録手段及び管理手段は、コンピュータ装置に設けられることを特徴とする。
【００１７】
この構成によれば、使用中である複数の第１及び第２の識別情報をコンピュータ装置に備えられた記録媒体に集約して記憶して管理できるので、これにより、各電話交換装置の処理負荷を軽減できる。
【発明の効果】
【００１８】
以上詳述したようにこの発明によれば、局線中の通信チャネルごとに接続された端末に対し、会議通話サービス等の発着信に係わる付加的なサービスを効果的に実現し得る電話交換装置及び交換ネットワークシステム、及び電話交換装置の制御方法を提供することができる。
【発明を実施するための最良の形態】
【００１９】
以下、この発明の実施形態について図面を参照して詳細に説明する。  
（第１の実施形態）  
図１は、この発明に係わる電話交換システムの第１の実施形態を示すブロック図であり、１は主装置を示している。
【００２０】
主装置１は、複数種の外線インタフェース部（ＢＲＩ）（ＰＲＩ）１１，１２と、ラインインタフェース部（ＤＫＵ／ＳＴＵ）１３と、タイムスイッチ（ＴＳＷ）１４と、中央制御部（ＣＴＵ）１５とを備え、これらは制御バス（ＤＨＷ）１６を介して相互に接続されている。また、外線インタフェース部１１，１２、ラインインタフェース部１３及びタイムスイッチ１４は、音声バス（ＰＣＭＨＷ）１７を介して相互に接続されている。
【００２１】
外線インタフェース部（ＢＲＩ）１１はＩＳＤＮの基本インタフェースに対応する局線ＩＳＬ（Ｂチャネル数２）を介してＩＳＤＮ網ＮＷに接続され、基本インタフェースに従ってＩＳＤＮ網ＮＷとの間の呼の確立処理等を行なう。外線インタフェース部（ＰＲＩ）１２はＩＳＤＮの一次群インタフェースに対応する局線ＡＳＬ（Ｂチャネル数２３）を介してＩＳＤＮ網ＮＷに接続され、一次群インタフェースに従ってＩＳＤＮ網ＮＷとの間の呼の確立制御等を行なう。
【００２２】
ラインインタフェース部１３には複数の内線ＥＬ１〜ＥＬｍが収容されており、これらの内線ＥＬ１〜ＥＬｍにはそれぞれ内線端末Ｔ１〜Ｔｍが接続される。内線端末Ｔ１〜Ｔｍとして使用されるものには、例えばデジタルボタン電話機がある。ラインインタフェース部１３は、内線端末Ｔ１〜Ｔｍに対する発着信処理やデジタル信号の転送処理等を行なう。
【００２３】
タイムスイッチ１４は、中央制御部１５の指示に従い、上記各外線インタフェース部１１，１２とラインインタフェース部１３との間で音声バス１７を介して伝送されるデジタル信号のチャネル交換を行なう。
【００２４】
ところで、第１の実施形態の主装置１には、コンピュータ接続インタフェース部（ＰＣＩ／Ｆ）１８が内蔵してある。コンピュータ接続インタフェース部１８には、ＣＴＩ(Computer Telephony Integration)機器２が接続される。コンピュータ接続インタフェース部１８は、ＣＴＩ機器２と音声バス１７との間でデジタル音声信号の転送処理を行なう機能と、中央制御部１５とＣＴＩ機器２との間で制御コマンド等の転送処理を行なう機能とを備える。
【００２５】
また、ＣＴＩ機器２は、この発明に係わる機能として、図２に示すように、通信処理部２１と、情報登録部２２と、情報管理部２３とを備えている。通信処理部２１は、例えば通話中の内線端末Ｔ１にてＩＳＤＮ網ＮＷに接続される端末を会議通話に加えるための接続要求操作がなされるごとに、主装置１との通信により、この加えるべく端末が接続されるＩＳＤＮ局線を識別するためのチャネルグループ情報及び使用するＩＳＤＮ局線内のＢチャネルを識別するためのＢチャネル情報を取得する。
【００２６】
情報登録部２２は、取得したチャネルグループ情報及びＢチャネル情報をＲＡＭ２４に登録する。  
情報管理部２３は、図３に示すように、ＲＡＭ２４上のチャネルグループ情報及びＢチャネル情報を管理し、使用中のＩＳＤＮ局線に対する切断要求が発生した場合に、該ＩＳＤＮ局線に対応するチャネルグループ情報及びＢチャネル情報をＲＡＭ２４から読み出し、これらチャネルグループ情報及びＢチャネル情報を主装置１に転送して該当するＩＳＤＮ局線に対する切断処理を実行させる。
【００２７】
また、情報管理部２３は、使用中のＩＳＤＮ局線に対する動作状態の監視要求が主装置１から送られた場合に、該ＩＳＤＮ局線に対応するチャネルグループ情報及びＢチャネル情報をＲＡＭ２４から読み出し、これらチャネルグループ情報及びＢチャネル情報を主装置１に転送して該当するＩＳＤＮ局線に対する監視処理を実行させる。
【００２８】
さらに、主装置１の中央制御部１５にも、この発明に係わる機能としてＩＳＤＮ局線を識別するためのチャネルグループ情報及び使用するＩＳＤＮ局線内のＢチャネルを識別するためのＢチャネル情報を取得する機能と、この取得情報をＲＡＭ（図示せず）に記録して管理する機能を有している。
【００２９】
次に、以上のように構成されたシステムの動作について説明する。  
（会議通話動作）  
まず、内線端末Ｔ１，ＩＳＤＮ網ＮＷに接続される外部端末ＴＴ１間で通話が行なわれているものとする。この状態で、例えば内線端末Ｔ１においてユーザが、ＩＳＤＮ網ＮＷ上の外部端末ＴＴ２を会議通話に加える操作を行なったとする。そうすると内線端末Ｔ１からその要求情報が主装置１に送られる。この要求情報を受信すると主装置１は、内線端末Ｔ１と外部端末ＴＴ１との間の通信リンクを保持したまま、要求情報をＩＳＤＮ局線ＡＳＬ経由で外部端末ＴＴ２に送出して着信報知を行なわせる。この着信報知は、鳴音の発生または着信表示により行なわれる。そして、この着信報知に対しユーザが応答操作を行うと、ＩＳＤＮ網ＮＷ上の外部端末ＴＴ２は接続応答信号を主装置１に送信する。
【００３０】
かくして、内線端末Ｔ１，外部端末ＴＴ１間に外部端末ＴＴ２を会議通話に加えることができる。このとき、主装置１は、会議作成がなされたことを検出し、この検出結果をＣＴＩ機器２に送出する。この検出結果を受信すると、ＣＴＩ機器２は図４に示す制御手順を実行する。
【００３１】
すなわち、ＣＴＩ機器２は、上記検出結果を受信すると（ステップＳＴ４ａ）、主装置１との通信により会議通話に加えた外部端末ＴＴ２のチャネルグループ情報（ａ）及びＢチャネル情報（ｘ）を取得し（ステップＳＴ４ｂ）、この取得したチャネルグループ情報及びＢチャネル情報をＲＡＭ２４に登録する（ステップＳＴ４ｃ）。
【００３２】
そして、ＣＴＩ機器２は、外部端末ＴＴ１，ＴＴ２に対する切断要求が主装置１から到来するか否かを監視し（ステップＳＴ４ｄ）、外部端末ＴＴ２に対する切断要求が到来した場合に（Ｙｅｓ）、ＲＡＭ２４から該当するチャネルグループ情報及びＢチャネル情報を読み出し（ステップＳＴ４ｅ）、このチャネルグループ情報及びＢチャネル情報を付加した切断指示情報を主装置１に送出する（ステップＳＴ４ｆ）。
【００３３】
すると、主装置１は、外部端末ＴＴ２を接続したＩＳＤＮ局線ＡＳＬ中のＢチャネル（ｘ）を切断し、外部端末ＴＴ１を会議通話から外すことができる。
【００３４】
（モニタ動作）  
例えば外部端末ＴＴ１の発信に応じて、ＩＳＤＮ局線ＡＳＬから内線端末Ｔ４に対する着信信号が主装置１に到来したとする。そうすると、主装置１は内線端末Ｔ４に対して着信データを転送して着信報知を行なわせる。
【００３５】
このとき、主装置１は、使用中のＩＳＤＮ局線ＡＳＬのチャネルグループ情報（ａ）及びＢチャネル情報（ｙ）をＣＴＩ機器２に転送する。そして、内線端末Ｔ３にて使用中のＩＳＤＮ局線ＡＳＬのモニタ要求がなされたとする。
【００３６】
すると、主装置１は、使用中のＩＳＤＮ局線に関するモニタ要求を検出し、その検出信号をＣＴＩ機器２に送出する。すると、ＣＴＩ機器２は、図５に示す制御処理を実行する。
【００３７】
まず、ＣＴＩ機器２は、検出信号を受信し（ステップＳＴ５ａ）、該当するＩＳＤＮ局線ＡＳＬのチャネルグループ情報（ａ）及びＢチャネル情報（ｙ）を読み出し（ステップＳＴ５ｃ）、これらチャネルグループ情報及びＢチャネル情報を付加したモニタデータ送出要求を主装置１に送信する（ステップＳＴ５ｃ）。すると、主装置１は、チャネルグループ情報及びＢチャネル情報に基づいて該当するＩＳＤＮ局線２２の監視を行ない、最新のモニタデータをＣＴＩ機器２へ送出する。
【００３８】
一方、ＣＴＩ機器２は、上記モニタデータ送出要求の送信後、ステップＳＴ５ｅで時間の経過を監視しながらステップＳＴ５ｄにより主装置１からのモニタデータの到来を監視する。そして、モニタデータ送出要求の送信後、一定時間以内にモニタデータが到来すると、ステップＳＴ５ｆでこの受信したモニタデータを分析し、その分析結果をもとに該当するＩＳＤＮ局線ＡＳＬ中のＢチャネル（ｙ）で異常が発生したか否かを判定する。そして、その判定結果を例えば要求元となる内線端末Ｔ３に送出する。
【００３９】
以上のように上記第１の実施形態では、主装置１において、ＩＳＤＮ局線ＩＳＬ，ＡＳＬを使用した発着信が行なわれた際に、該当するＩＳＤＮ局線のチャネルグループ情報及びＢチャネル情報をＣＴＩ機器２に転送し、ＣＴＩ機器２にて転送されたチャネルグループ情報及びＢチャネル情報をＲＡＭ２４に登録して管理するようにしている。
【００４０】
従って、例えばＩＳＤＮ局線ＡＳＬに接続される外部端末ＴＴ２と、内線ＥＬ１に接続される内線端末Ｔ１及び外部端末ＴＴ１との間の会議通話中に、外部端末ＴＴ２を指定した切断要求が発生した場合に、ＲＡＭ２４上のチャネルグループ情報及びＢチャネル情報に基づいて切断すべきＩＳＤＮ局線ＡＳＬのＢチャネルを特定できる。これにより、ＩＳＤＮ局線ＡＳＬ中の任意のＢチャネルを切断できる。
【００４１】
また、上記第１の実施形態では、使用中のＩＳＤＮ局線ＩＳＬに関するモニタ要求が発生した場合に、ＣＴＩ機器２のＲＡＭ２４上のチャネルグループ情報及びＢチャネル情報に基づいてＢチャネルごとに使用状況をモニタできる。
【００４２】
さらに、上記第１の実施形態によれば、使用中であるＩＳＤＮ局線ＡＳＬの複数のチャネルグループ情報及びＢチャネル情報をＣＴＩ機器２に備えられたＲＡＭ２４に集約して記憶して管理できるので、これにより、主装置１の処理負荷を軽減できる。
【００４３】
（第２の実施形態）  
図６は、この発明の第２の実施形態に係わる交換ネットワークシステムを示す概略構成図である。
【００４４】
このシステムは、同図に示すように、主装置ＢＴ１〜ＢＴ４を備え、これら主装置ＢＴ１〜ＢＴ４相互間を通信チャネル（Ｂｃｈ）及び制御チャネル（Ｄｃｈ）を有するデジタル専用線ＰＮ（ＰＮ１−２，ＰＮ１−３，ＰＮ２−３，ＰＮ３−４）で接続している。これら主装置ＢＴ１〜ＢＴ４は、それぞれ内線端末Ｔ１１〜Ｔ１ｉ，Ｔ２１〜Ｔ２ｍ，Ｔ３１，Ｔ４１〜Ｔ４ｋを内線を介して収容している。また、主装置ＢＴ１，ＢＴ４はＩＳＤＮ網ＮＷ１，ＮＷ２にＩＳＤＮ局線ＩＳＬ，ＡＳＬを介して接続されている。  
また、主装置ＢＴ１〜ＢＴ４は、ＬＡＮ（Local Area Network）を介してＣＴＩ機器ＰＣ１を接続している。ＣＴＩ機器ＰＣ１は、上記ＣＴＩ機器２と同一機能を有し、ＲＡＭ２４上でチャネルグループ情報及びＢチャネル情報をＩＳＤＮ網ＮＷ１，ＮＷ２が接続される主装置ＢＴ１，ＢＴ４に対応付けて管理するようにしている。
【００４５】
次に、上記主装置ＢＴ１〜ＢＴ４の具体的構成について図７を参照して詳細に説明する。なお、図７において、上記図１と同一部分には同一符号を付して詳細な説明を省略する。ここでは、主装置ＢＴ１を代表して説明する。  
すなわち、主装置ＢＴ１には、デジタル専用線インタフェース（Ｉ／Ｆ）部１９が設けられている。このデジタル専用線インタフェース部１９には、デジタル専用線ＰＮが必要に応じて接続される。デジタル専用線インタフェース部１９は、接続されたデジタル専用線ＰＮに関するデジタル専用線インタフェース動作を行なう。デジタル専用線インタフェース動作は、デジタル専用線ＰＮへの発信信号の送信やデジタル専用線ＰＮからの着信信号の検出などである。また、デジタル専用線インタフェース部１９は、上記デジタル専用線インタフェース動作に係わる種々の制御情報の授受を、制御バス１６を介して中央制御部１５との間で行なう。
【００４６】
このように上記第２の実施形態であれば、異なる主装置ＢＴ１〜ＢＴ４間でＩＳＤＮ局線ＩＳＬ，ＡＳＬを使用した会議通話が行なわれている場合にも、ＩＳＤＮ局線ＩＳＬ，ＡＳＬに接続される外部端末を指定した切断要求が発生した際に、ＣＴＩ機器ＰＣ１で管理されているチャネルグループ情報及びＢチャネル情報に基づいて切断すべくＩＳＤＮ局線ＩＳＬ，ＡＳＬ内のＢチャネルを特定でき、これによりＢチャネルごとに適切な切断処理を実行できる。
【００４７】
また、上記第２の実施形態では、使用中であるチャネルグループ情報及びＢチャネル情報をＣＴＩ機器ＰＣ１に備えられたＲＡＭに集約して記憶して管理できるので、これにより、各主装置ＢＴ１〜ＢＴ４の処理負荷を軽減できる。
【００４８】
（その他の実施形態）  
この発明は、上記各実施形態に限定されるものではない。例えば、上記各実施形態では、チャネルグループ情報及びＢチャネル情報の取得機能、登録機能、管理機能をＣＴＩ機器で実行する例について説明したが、主装置で実行させるようにしてもよく、また主装置に接続される他の装置で実行させるようにしてもよい。
【００４９】
また、上記第１の実施形態では、会議通話及びモニタ動作について説明したが、これ以外のＩＳＤＮ局線のＢチャネルごとに要求されるサービスを実行するようにしてもよい。
【００５０】
その他、システムの構成及び種類、主装置の構成、チャネルグループ情報及びＢチャネル情報といった識別情報の種類、サービスの実行手順等についても、この発明の要旨を逸脱しない範囲で種々変形して実施できる。
【図面の簡単な説明】
【００５１】
【図１】この発明の第１の実施形態に係わる電話交換システムを示すブロック図。
【図２】同第１の実施形態におけるＣＴＩ機器の機能構成を示すブロック図。
【図３】図２に示したＲＡＭの記憶内容の一例を示す図。
【図４】同第１の実施形態において、会議通話動作の制御手順を示すフローチャート。
【図５】同第１の実施形態において、モニタ動作の制御手順を示すフローチャート。
【図６】この発明の第２の実施形態に係わる交換ネットワークシステムを示す概略構成図。
【図７】同第２の実施形態における主装置の具体的構成を示すブロック図。
【符号の説明】
【００５２】
１…主装置、２…ＣＴＩ機器、１１，１２…外線インタフェース部、１３…ラインインタフェース部、１４…タイムスイッチ、１５…中央制御部、１６…制御バス、１７…音声バス、１８…コンピュータ接続インタフェース部、１９…デジタル専用線インタフェース部、２１…通信処理部、２２…情報登録部、２３…情報管理部、２４…ＲＡＭ、ＢＴ１〜ＢＴ４…主装置、ＮＷ…ＩＳＤＮ網、ＩＳＬ，ＡＳＬ…ＩＳＤＮ局線、Ｔ１〜Ｔｍ…内線端末。
【図１】
2006019985.tif 000003
【図２】
2006019985.tif 000004
【図３】
2006019985.tif 000005
【図４】
2006019985.tif 000006
【図５】
2006019985.tif 000007
【図６】
2006019985.tif 000008
【図７】
2006019985.tif 000009